(57)【要約】【課題】本発明の目的は、マトリックス状に配置された発光素子などによって、基準となる音と、入力音と基準となる音とのピッチ偏差とを同時に表示する調律器を提供することである。【解決手段】本発明の調律器は、入力音のピッチを検出するピッチ検出部と、ピッチ検出部で判定された入力音のピッチからノートを判別するノート判別部と、ピッチと前記ノートから決まる基準ピッチとのピッチ偏差を求めるピッチ偏差判別部と、マトリックス状に配置された発光素子を有する表示部と、表示部を制御する表示制御部を備える。また、表示制御部は、ノートとピッチ偏差にしたがって、ノートを表す文字の字体と表示位置とを決める字体・位置決定手段を有する。【選択図】図４
2008170769.tif 000002
【特許請求の範囲】
【請求項１】
発光素子によって調律の状態を表示する調律器であって、
入力音を取り込む入力部と、
入力音のピッチを検出するピッチ検出部と、
前記ピッチ検出部で判定された入力音のピッチからノートを判別するノート判別部と、
前記ピッチと前記ノートから決まる基準ピッチとのピッチ偏差を求めるピッチ偏差判別部と、
マトリックス状に配置された発光素子を有する表示部と、
前記ノートと前記ピッチ偏差にしたがって、ノートを表す文字の字体または表示位置とを決める字体・位置決定手段を有し、前記表示部を制御する表示制御部
を備える調律器。
【請求項２】
請求項1記載の調律器であって、
前記字体・位置決定手段が、前記ピッチが前記基準ピッチよりも高い時には文字の位置を上にし、低い時には下にする
ことを特徴とする調律器。
【請求項３】
請求項1記載の調律器であって、
前記字体・位置決定手段が、前記ピッチが前記基準ピッチよりも高い時には文字の位置を左または右にし、低い時には右または左にする
ことを特徴とする調律器。
【請求項４】
請求項1記載の調律器であって、
前記字体・位置決定手段が、前記ピッチが前記基準ピッチよりも高い時には文字を、上部が左側または右側に傾いた字体にし、低い時には上部が右側または左側に傾いた字体にする
ことを特徴とする調律器。
【請求項５】
請求項1から４のいずれかに記載の調律器であって、
前記字体・位置決定手段が、前記ピッチが前記基準ピッチよりも高い時、低い時、同じの時で、それぞれ異なる文字の色を決定し、
前記表示制御手段が、前記字体・位置決定手段が決定した文字の色にもしたがって、前記発光素子を点灯させる
ことを特徴とする調律器。
【請求項６】
請求項1記載の調律器であって、
前記字体・位置決定手段が、前記ピッチが前記基準ピッチと異なる場合には、色の異なる２つの文字を、ピッチの違いに応じて表示部の中心から点対象な位置に配置し、
前記ピッチが前記基準ピッチと同じ場合には、１つの文字を、表示部の中心に配置するように決定し、
前記表示制御手段が、前記字体・位置決定手段が決定した文字の数と色にもしたがって、前記発光素子を点灯させる
ことを特徴とする調律器。
【請求項７】
請求項1から６のいずれかに記載の調律器であって、
前記字体・位置決定手段が、前記ピッチと前記基準ピッチとの差があらかじめ定めた範囲の場合に、当該範囲内であることを示す印を、発光素子に表示させる
ことを特徴とする調律器。
【請求項８】
請求項１から４のいずれかに記載調律器であって、
発光素子に代わって、ＬＣＤとバックライトでの組み合わせによって構成されている
ことを特徴とする調律器。
【発明の詳細な説明】
【技術分野】
【０００１】
本発明は、発光素子をマトリックス状に配置し、入力音（楽器の音など）と基準となる音との音程値（ピッチ偏差）を、発光素子に表示する調律器に関する。
【背景技術】
【０００２】
図１に、従来の調律器の表示部の例を示す。このように、従来の調律器では、ノート表示とメータ表示とを別々に表示していた（非特許文献１）。したがって、表示部の限られた領域に２つの表示が必要であり、表示部の小型化を妨げる原因ともなっていた。
【非特許文献１】株式会社コルグ、“チューナー/メトロノーム”［online］、［平成１９年１月１０日検索］、インターネット〈ＵＲＬ：http://www.korg.co.jp/Product/Tuner/〉
【発明の開示】
【発明が解決しようとする課題】
【０００３】
公開されている情報ではないが、図１の表示部を備える調律器の機能構成例と処理フローを以下に示す。図２は従来の調律器の機能構成例を示す図、図３は従来の調律器の処理フロー例を示す図である。
【０００４】
調律器９００は、入力部９１０、ピッチ検出部９２０、ノート判別部９３０、ピッチ偏差判別部９４０、ピッチ偏差表示制御部９５０、ノート表示制御部９５５、ピッチ偏差表示部９６０、ノート表示部９６５、記録部９９０から構成される。ピッチ偏差表示制御部９５０は割り込みタイマー９５１を有している。また、ピッチ偏差表示部９６０は発光素子として、例えばＬＥＤを用いている。
【０００５】
調律器９００の電源を入れると、記録部９９０は記録部９９０内のデータをリセットする（Ｓ９０１、Ｓ９０２）。データには、ピッチ偏差表示部９６０が点灯状態としている発光素子がどれかを示す情報（ＤＩＳＰ）、ピッチ偏差の情報（ＰＩＴＣＨ）、およびノートの情報（ＮＯＴＥ）が含まれる。ピッチ偏差表示制御部９５０とノート表示制御部９５５は、ピッチ偏差表示部９６０とノート表示部９６５の点灯状態を初期化する（Ｓ９６９）。入力部９１０は、入力音を取り込む（Ｓ９１０）。また、必要に応じて入力音を増幅する。ピッチ検出部９２０は、入力音のピッチ（音高）を判定する（Ｓ９２１）。また、入力部９１０またはピッチ検出部９２０が、入力音の状態がピッチ（音高）を検出できる状態かを判断する（Ｓ９２２）。検出できない状態の場合には、ステップＳ９０２に戻る。検出できる状態の場合には、ノート判別部９３０が、ピッチ検出部９２０で検出された入力音のピッチからノート（音階音名）を判別する（Ｓ９３０）。ピッチ偏差判別部９４０は、ピッチとノートから決まる基準ピッチとのピッチ偏差を求め、ノートの情報（ＮＯＴＥ）とピッチ偏差の情報（ＰＩＴＣＨ）とを記録部に記録する（Ｓ９４０）。そしてステップＳ９１０に戻り、処理を繰り返す。ピッチ偏差表示制御部９５０内の割り込みタイマー９５１が、割り込みを発生させると（Ｓ９５１）、ノート表示制御部９５５が、記録部９９０のノートの情報（ＮＯＴＥ）を読込み、ノート表示部９６５を制御してノートの情報を表示する（Ｓ９５５、Ｓ９６５）。ピッチ偏差表示制御部９５０は、記録部９９０のピッチ偏差の情報（ＰＩＴＣＨ）を読込み、ピッチ偏差に対応する発光素子が点灯状態となるようにピッチ偏差表示部９６０を制御する（Ｓ９５０、Ｓ９６０）。
【０００６】
このように、従来の調律器では、ノート表示とメータ表示とを別々に制御していたため、表示部の小型化の妨げとなっていた。本発明の目的は、マトリックス状に配置された発光素子によって、基準となる音と、入力音と基準となる音とのピッチ偏差とを１つのディスプレイに同時に表示する調律器を提供することである。
【課題を解決するための手段】
【０００７】
本発明の調律器は、入力音のピッチを検出するピッチ検出部と、ピッチ検出部で判定された入力音のピッチからノートを判別するノート判別部と、ピッチと前記ノートから決まる基準ピッチとのピッチ偏差を求めるピッチ偏差判別部と、マトリックス状に配置された発光素子を有する表示部と、表示部を制御する表示制御部を備える。また、表示制御部は、ノートとピッチ偏差にしたがって、ノートを表す文字の字体と表示位置とを決める字体・位置決定手段を有する。
【０００８】
字体・位置決定手段は、ピッチが基準ピッチよりも高い時には文字の位置を上にし、低い時には下にするように文字の位置を決定してもよい。ピッチが基準ピッチよりも高い時には文字の位置を左または右にし、低い時には右または左にするように文字の位置を決定してもよい。ピッチが基準ピッチよりも高い時には、文字を上部が左側または右側に傾いた字体にし、低い時には上部が右側または左側に傾いた字体にするように字体を決定してもよい。ピッチが基準ピッチよりも高い時、低い時、同じの時で、それぞれ文字の色を変化させてもよい。ピッチが基準ピッチと異なる場合には、色の異なる２つの文字を、ピッチの違いに応じて表示部の中心から点対象な位置に配置し、ピッチが基準ピッチと同じ場合には、１つの文字を、表示部の中心に配置してもよい。ピッチと基準ピッチとの差があらかじめ定めた範囲の場合に、当該範囲内であることを示す印を、発光素子に表示させてもよい。さらに、発光素子の代わりに、ＬＣＤとバックライトの組み合わせを用いてもよい。
【発明の効果】
【０００９】
本発明によれば、ノート表示の文字の字体または位置によって、ピッチ偏差の情報を表示する。したがって、メータ表示がなくてもノートと、ピッチ偏差とを、１つのディスプレイに同時に表示できる。
【発明を実施するための最良の形態】
【００１０】
［第１実施形態］
図４に、本発明の調律器の機能構成例を示す。図５に、本発明の調律器の処理フローを示す。図６に、マトリックス状に配置された発光素子（例えば、ＬＥＤ）の様子を示す。調律器１００は、従来の調律器９００と、表示制御部１５０と表示部１６０が異なる。表示制御部１５０には、字体・位置決定手段１５２が追加されている点が、従来のピッチ偏差表示制御部９５０と異なる。表示部１６０は、マトリックス状に配置された発光素子１６９を備える。字体・位置決定手段１５２は、ノート判別部９３０からのノートの情報と、ピッチ偏差判別部９４０からのピッチ偏差の情報にしたがって、表示する文字と、当該文字の字体または位置を決める。表示制御部１５０は、字体・位置決定手段１５２が決めた表示する文字と、当該文字の字体または位置にしたがって、発光素子１６９を点灯させる。図６中の丸が個々の発光素子を示しており、この例では１６９個（１３個×１３個）がマトリックス状に配置されている。各発光素子は、単色の発光素子でも多色の発光素子でもよい。また、１６９個に限る必要はなく、マトリックス状に配置されていればよい。
【００１１】
次に、調律器１００の処理フローを説明する。図５の処理フローは、ステップＳ９４０までは図３の処理フローと同じである。表示制御部１５０の字体・位置決定手段１５２は、字体または位置を決定し、字体と位置の情報を記録部１９０に記録する（Ｓ１５２）。そしてステップＳ９１０に戻り、処理を繰り返す。表示制御部１５０内の割り込みタイマー９５１が、割り込みを発生させると（Ｓ９５１）、表示制御部１５０は、ノート、字体、位置の情報を記録部１９０から読込み、表示部１６０にノートとピッチ偏差の情報を表示する（Ｓ１５０、Ｓ１６０）。なお、割り込みタイマー９５１の割り込み発生の代わりに、字体・位置決定手段１５２が最新の字体または位置を決定すると、ステップＳ１５０、Ｓ１６０を実行してもよい。
【００１２】
図７に、字体・位置決定手段１５２が、ピッチが基準ピッチよりも高い時には文字の位置を上にし、低い時には下にする場合の、発光素子１６９の表示の例を示す。図中の網掛けされた丸が点灯している発光素子であり、白丸が消灯している発光素子である。図中の“Ａ”は基準となる音を示している。“ｊｕｓｔ  ｔｕｎｅ”と示している図が、入力音と基準となる音との音の高さが一致した場合の表示を示している。入力音が基準となる音よりも低い場合には、“Ａ”の文字が下に表示される。また、入力音が基準となる音よりも高い場合には、“Ａ”の文字が上に表示される。
【００１３】
本発明の調律器によれば、ノート表示の文字の字体または位置によって、ピッチ偏差の情報を表示するので、メータ表示がなくても基準となる音と、入力音と基準となる音とのピッチ偏差とを、１つのディスプレイに同時に表示できる。
【００１４】
［変形例１］
図８に、ピッチが基準ピッチよりも高い時には文字の位置を上にし、低い時には下にし、かつ、ピッチと基準ピッチとの差があらかじめ定めた範囲のときに、その範囲内であることを示す印を表示する場合の、発光素子１６９の表示の例を示す。“ｊｕｓｔ  ｔｕｎｅ”近傍では、ガイド表示が表示される。これは、ピッチと基準ピッチとの差があらかじめ定めた範囲の場合に、その範囲内であることを示す印である。この印によって、より容易に調律の状況を把握できる。
【００１５】
［変形例２］
図９に、ピッチが基準ピッチよりも高い時には文字の位置を右にし、低い時には左にする場合の、発光素子１６９の表示の例を示す。本変形例では、図９に示すように、入力音が低いほど“Ａ”の文字が左側に表示され、入力音が高いほど“Ａ”の文字が右側に表示される。
なお、本変形例とは反対に、入力音が基準となる音よりも高い時には文字の位置を左にし、低い時には右にしてもよい。
【００１６】
［変形例３］
図１０に、ピッチが基準ピッチよりも高い時には文字の位置を右にし、低い時には左にし、かつ、ピッチと基準ピッチとの差があらかじめ定めた範囲のときに、その範囲内であることを示す印を表示する場合の、発光素子１６９の表示の例を示す。“ｊｕｓｔ  ｔｕｎｅ”近傍では、ガイド表示が表示される。これは、ピッチと基準ピッチとの差があらかじめ定めた範囲の場合に、その範囲内であることを示す印である。この印によって、より容易に調律の状況を把握できる。
【００１７】
［変形例４］
図１１に、ピッチが基準ピッチよりも高い時には、文字を上部が右側に傾いた字体にし、低い時には上部が左側に傾いた字体にする場合の、発光素子１６９の表示の例を示す。本変形例では、図１１に示すように、入力音が高いほど“Ａ”の文字の上部が右側に傾いた字体で表示され、入力音が低いほど“Ａ”の文字の上部が左側に傾いた字体で表示される。
なお、本実施形態とは逆に、入力音が基準となる音よりも高い時には、文字を上部が左側に傾いた字体にし、低い時には上部が右側に傾いた字体にしてもよい。
また、第１実施形態および変形例１〜４の説明では、基準となる音の表示が“Ａ”の場合のみを示してきた。しかし、ノート判別部９３０が異なる音をノートとした場合には、図１２や図１３のように、“Ｇ”や“Ｆ”がノートとして表示されることもある。
【００１８】
［変形例５］
図１４に、ピッチが基準ピッチよりも高い時には、文字を上部が右側に傾いた字体にし、低い時には上部が左側に傾いた字体にし、かつ、ピッチが基準ピッチよりも高い時、低い時、同じの時で、それぞれ文字の色を変化させた場合の、発光素子１６９の表示の例を示す。本変形例では、字体・位置決定手段１５２は、文字の字体や位置だけでなく、文字の色も決定する。表示制御部１５０は、字体・位置決定手段１５２が決定した文字の色にもしたがって、発光素子１６９を点灯させる。例えば、図中の縦縞に網掛けされた丸が青色に点灯している発光素子であり、横縞に網掛けされた丸が赤色に点灯している発光素子であり、格子状に網掛けされた丸が白色に点灯している発光素子であり、白丸が消灯している発光素子である。本変形例では、図１４に示すように、ピッチが基準となる音に対して高いか、低いか、同じかで文字の色を変化させるので、より容易に調律の状況を把握できる。
【００１９】
［変形例６］
図１５に、ピッチが基準ピッチと異なる場合には、色の異なる２つの文字を、音の違いに応じて表示部の中心から点対象な位置に配置し、ピッチが基準ピッチと同じ場合には、１つの文字を、表示部の中心に配置する場合の、発光素子１６９の表示の例を示す。本変形例では、字体・位置決定手段１５２は、文字の字体や位置だけでなく、文字の数と色も決定する。表示制御部１５０は、字体・位置決定手段１５２が決定した文字の数と色にもしたがって、発光素子１６９を点灯させる。例えば、図中の縦縞に網掛けされた丸が緑色に点灯している発光素子であり、横縞に網掛けされた丸が赤色に点灯している発光素子であり、格子状に網掛けされた丸が黄色に点灯している発光素子であり、白丸が消灯している発光素子である。本変形例では、図１４に示すように、文字の数と色と距離（位置）によって、調律の状況を表示するので、非常に容易に調律の状況を把握できる。
【００２０】
本発明の調律器によれば、上述の機能構成、処理フロー、表示方法なので、ノート表示の文字の字体、位置などによって、ピッチ偏差の情報を表示するので、メータ表示がなくても基準となる音と、入力音と基準となる音とのピッチ偏差とを、１つのディスプレイに同時に表示できる。
【００２１】
なお、第１実施形態および変形例１〜４では、発光素子１６９の代わりに、ＬＣＤとバックライトでの組み合わせを用いてもよい。ＬＣＤとバックライトの組み合わせでも、上記と同じ効果を得ることができる。
【図面の簡単な説明】
【００２２】
【図１】従来の調律器の表示部の例を示す図。
【図２】従来の調律器の機能構成例を示す図。
【図３】従来の調律器の処理フローを示す図。
【図４】本発明の調律器の機能構成例を示す図。
【図５】本発明の調律器の処理フローを示す図。
【図６】マトリックス状に配置された発光素子の様子を示す図。
【図７】ピッチが基準ピッチよりも高い時には文字の位置を上にし、低い時には下にする場合の、発光素子の表示の例を示す図。
【図８】ピッチが基準ピッチよりも高い時には文字の位置を上にし、低い時には下にし、かつ、ピッチと基準ピッチとの差があらかじめ定めた範囲のときに、その範囲内であることを示す印を表示する場合の、発光素子の表示の例を示す図。
【図９】ピッチが基準ピッチよりも高い時には文字の位置を右にし、低い時には左にする場合の、発光素子の表示の例を示す図。
【図１０】ピッチが基準ピッチよりも高い時には文字の位置を右にし、低い時には左にし、かつ、ピッチと基準ピッチとの差があらかじめ定めた範囲のときに、その範囲内であることを示す印を表示する場合の、発光素子の表示の例を示す図。
【図１１】ピッチが基準ピッチよりも高い時には、文字を上部が右側に傾いた字体にし、低い時には上部が左側に傾いた字体にする場合の、発光素子の表示の例を示す図。
【図１２】基準ピッチを表示する文字が“Ｇ”の場合の、発光素子の表示の例を示す図。
【図１３】基準ピッチを表示する文字が“Ｆ”の場合の、発光素子の表示の例を示す図。
【図１４】ピッチが基準ピッチよりも高い時には、文字を上部が右側に傾いた字体にし、低い時には上部が左側に傾いた字体にし、かつ、ピッチが基準ピッチよりも高い時、低い時、同じの時で、それぞれ文字の色を変化させた場合の、発光素子の表示の例を示す図。
【図１５】ピッチが基準ピッチと異なる場合には、色の異なる２つの文字を、ピッチの違いに応じて表示部の中心から点対象な位置に配置し、ピッチが基準ピッチと同じ場合には、１つの文字を、表示部の中心に配置する場合の、発光素子の表示の例を示す図。
【図１】
2008170769.tif 000003
【図２】
2008170769.tif 000004
【図３】
2008170769.tif 000005
【図４】
2008170769.tif 000006
【図５】
2008170769.tif 000007
【図６】
2008170769.tif 000008
【図７】
2008170769.tif 000009
【図８】
2008170769.tif 000010
【図９】
2008170769.tif 000011
【図１０】
2008170769.tif 000012
【図１１】
2008170769.tif 000013
【図１２】
2008170769.tif 000014
【図１３】
2008170769.tif 000015
【図１４】
2008170769.tif 000016
【図１５】
2008170769.tif 000017